(57)【特許請求の範囲】
【請求項１】
第１の連結部を有する第１の端子部と、前記第１の連結部に対向する第２の連結部を有する第２の端子部と、前記第１の連結部と前記第２の連結部を連結する伸縮可能な電路部と、前記第１の端子部および前記第２の端子部を収納する収納部を有するケースとを備え、
前記第１の連結部と前記第２の連結部と前記電路部を一枚の導電板で形成し、前記電路部は前記第１の連結部の板幅と前記第２の連結部の板幅よりも細幅で前記板幅内で斜めに連結するように打ち抜き加工することにより、前記第１の連結部と前記第２の連結部を対向方向に対して細幅で斜めに一体に連結した端子台において、
前記電路部の両端を前記第１の端子部および前記第２の端子部で切断分離したときの切断部位を避けて、前記第１の端子部および前記第２の端子部間に、細幅で蛇行状をなすヒューズ素子の両端を接続した端子台。
【請求項２】
前記第１の端子部は電源端子部および送り端子部を有し、前記第２の端子部は器具用端子部であり、前記電路部は前記電源端子部と前記送り端子部のうち前記第２の端子部より遠いものと前記第２の端子部とを連結する請求項１記載の端子台。
【発明の詳細な説明】
【０００１】
【発明の属する技術分野】
この発明は、照明器具等に用いる電源端子台等の端子台に関するものである。
【０００２】
【従来の技術】
従来例（実開平２−１３６９７４号）を図７に示す。すなわち、この端子台は、器具側の速結／圧接端子５０と電源側の速結端子５１および送り側の速結端子５２のいずれか遠い側とを直線的に電路部５３により連結した端子５５、５６を有する。端子５５はさらにヒューズ素子５４をかしめ接続している。これらの速結端子５５、５６を樹脂ボディ５７と樹脂カバー５８からなるケースの収納部５９内に収納している。６０はアース端子、６１はその収納部、６２は電線挿入孔、６３は解錠穴、６４は圧接用電線挿通部、６５は電線挿入孔６２に整合する電線挿通孔である。
【０００３】
【発明が解決しようとする課題】
樹脂ボディ５７の収納部５９に端子５５、５６を挿入するときに樹脂ボディ５７および端子５５、５６の寸法のばらつきにより端子５５、５６の挿入がきつくなったり、経年変化による樹脂収縮により樹脂ボディ５７の一部に亀裂が入る欠点があった。
【０００４】
したがって、この発明の目的は、ケースと速結端子がばらついても速結端子の挿入がきつくならず、経年変化による樹脂収縮にも対応することができる端子台を提供することである。
【０００５】
【課題を解決するための手段】
請求項１記載の端子台は、第１の連結部を有する第１の端子部と、前記第１の連結部に対向する第２の連結部を有する第２の端子部と、前記第１の連結部と前記第２の連結部を連結する伸縮可能な電路部と、前記第１の端子部および前記第２の端子部を収納する収納部を有するケースとを備え、
前記第１の連結部と前記第２の連結部と前記電路部を一枚の導電板で形成し、前記電路部は前記第１の連結部の板幅と前記第２の連結部の板幅よりも細幅で前記板幅内で斜めに連結するように打ち抜き加工することにより、前記第１の連結部と前記第２の連結部を対向方向に対して細幅で斜めに一体に連結した端子台において、
前記電路部の両端を前記第１の端子部および前記第２の端子部で切断分離したときの切断部位を避けて、前記第１の端子部および前記第２の端子部間に、細幅で蛇行状をなすヒューズ素子の両端を接続したものである。
【０００６】
請求項１記載の端子台によれば、電路部が伸縮可能であるため、端子部およびケースのばらつきにより端子部の挿入がきつくなることがなく、経年変化による樹脂収縮にも対応でき、ケースの亀裂が生じることもなくばらつきに対応しやすなる。また対向方向に平行な電路と比べて電路部が長くなり表面積および体積が大きくとれるため、放熱効果が増し端子部の温度上昇を少なくすることができる。
また電路部をヒューズ素子としたため、ヒューズ素子と端子を共用して使用することができる。第１の端子部と第２の端子部間にヒューズ素子の両端を接続したため、第１の端子部および第２の端子部を分断したときのばりによって振動等のときにヒューズ素子に傷を付けてヒューズ素子が早切れする等の悪影響がなくなる。
【０００９】
請求項２記載の端子台は、請求項１において、前記第１の端子部が電源端子部および送り端子部を有し、前記第２の端子部は器具用端子部であり、前記電路部は前記電源端子部と前記送り端子部のうち前記第２の端子部より遠いものと前記第２の端子部とを連結するものである。
【００１０】
請求項２記載の端子台によれば、請求項１と同様な効果のほか、電路部の距離を長くできる。
【００１５】
【発明の実施の形態】
この発明の第１の実施の形態を図１から図４により説明する。すなわち、この電源端子台は、第１の端子部１と、第２の端子部２と、電路部３と、ケース４を有する。
【００１６】
第１の端子部１は第１の連結部５を有する。実施の形態では第１の端子部１が電源端子部６と送り端子部７からなり、これらがそれぞれ半円筒状の側片３３、これに対向する鎖錠片９および押圧片３４からなる速結端子により構成され、電線１１を側片３３に挿入し、鎖錠片９で抜止めするとともに鎖錠片９と押圧片３４で側片３３に押付けている。３５は鎖錠片９に設けた解錠片である。
【００１７】
第２の端子部２は第１の連結部５に対向する第２の連結部８を有する。実施の形態では第２の端子部２が器具用端子部であり、第１の端子部１の電線挿入方向が図１で垂直下方であるのに対して水平方向となり、互いに電線挿入方向が約９０度異なる速結端子により構成されている。第２の端子部２の鎖錠片９は導電板をＬ字形に折曲した片方の一片３８に一対を切起こしにより形成し、他片３９と鎖錠片９との間に電線１１′を挿通し鎖錠片９の先端で抜止め係止する。
【００１８】
電路部３は伸縮可能であり、第１の連結部５と前記第２の連結部８を連結している。実施の形態では電源端子部６と送り端子部７のうち第２の端子部２より遠いものすなわち電源端子部６と第２の端子部２とを第１の連結部５と第２の連結部８の対向方向に対して細幅で斜めに一体に連結し、伸縮性を出すとともに電路長を長くしている。また第１の端子部１および第２の端子部２は一枚の導電板を打ち抜き加工により所定の形状に打ち抜き、さらに所定の曲げ加工により第１の端子部、第２の端子部を形成し、電路部３は打ち抜き加工により斜め姿勢に形成している。
【００１９】
ケース４は第１の端子部１および第２の端子部２を収納する収納部１０を有する。実施の形態では樹脂ボディ１３と、樹脂カバー１４からなる。樹脂ボディ１３は、第１の端子部１および第２の端子部２を収納部１０に収納するとともに、速結端子により形成したアース用端子板１５を収納部１０ａに収納している。このアース用端子板１５は下縁がアース端子１６の上縁と接触する。樹脂ボディ１３において、１８は第２の端子部２のための電線挿入孔、１９は係止爪、２０は取付爪である。また樹脂カバー１４において、２１は第１の端子部１のための電線挿入孔、２１′はアース用端子板１５のための電線挿入孔、２２、２２′は解錠穴、２３は電線挿入孔１８に整合する電線挿通孔、２４は係止爪１９に係止する係止孔である。
【００２０】
２６は金属製の取付板であり、２７は取付爪２０が係止する角穴、２８はアース端子１６が係止する孔、２９は樹脂ボディ１３を固定するための取付ねじを挿通する穴、３０は樹脂ボディ１３に形成した位置決め突起（図示せず）が嵌合する穴である。
【００２１】
第１の実施の形態によれば、電路部３が斜めになることにより、対向方向に多少の伸縮性が生じるので端子部１、２およびケース４のばらつきにより端子部１、２の挿入がきつくなることがなく、経年変化による樹脂収縮にも対応でき、ケース４の亀裂が生じることもなくばらつきに対応しやすい。また対向方向に平行なものと比べて電路部３が長くなり表面積および体積が大きくとれるため放熱効果が増し端子部１、２の温度上昇を少なくすることができる。
【００２２】
この発明の第２の実施の形態を図５により説明する。すなわち、この端子台は、電路部３の斜め配置の方向が第１の実施の形態と逆の場合であり、第１の連結部５側が第１の実施の形態では図４のように電源端子部６に近い位置にあるのに対して、図５のよう電源端子部６から離れて図４と反対向きに傾いて延びている。この結果、第１の実施の形態では、第１の端子部１と第２の端子部２との間の距離が図４ではｂ1 ＝３．８５、ｂ2 ＝３．３０、ｂ3 ＝６．６４、ｂ4 ＝７．４８、ｂ5 ＝０．５０であり、合計２１．７７であるのに対して、図５ではａ1 ＝４．９５、ａ2 ＝３．３０、ａ3 ＝６．４９、ａ4 ＝７．３４、ａ5 ＝０．５０であり、合計２２．５８である。その他は、第１の実施の形態と同様である。
【００２３】
この発明の第３の実施の形態を図６により説明する。すなわち、この端子台は、第１の実施の形態において、電路部３の両端をヒューズ素子４０としている。実施の形態ではヒューズ素子４０が細幅で蛇行状をなし、第１の端子部１および第２の端子部２を分離するための切断部位を避けて第１の端子部１および第２の端子部２間に両端を接続している。これは例えば第１の実施の形態の電路部３に代えてヒューズ素子４０を連結する場合、第１の端子部１および第２の端子部２に対して若干残してすなわち出っ張り部３ａ、３ｂを置いて第１の実施の形態の電路部３を切断し、かつ電路部３の切断部位を避けて第１の端子部１および第２の端子部２間に細幅のヒューズ素子４０の両端４０ａ、４０ｂを例えばかしめ部４１により接続している。これは、第１の実施の形態の電路部３の形成後にその電路部３を切断するため、どうしても出っ張り部３ａ、３ｂを残さざるを得ず、そのためばりがでるが、出っ張り部３ａ、３ｂを避けてヒューズ素子４０を接続することにより影響を回避できる。
【００２４】
このように、ヒューズ素子４０と端子部１、２を共用して使用することができ、また例えば第１の実施の形態の電路部を分断したときのばりによって振動等のときにヒューズ素子に傷を付けてヒューズ素子が早切れする等の悪影響がない。その他は第１の実施の形態と同様である。
【００２５】
【発明の効果】
請求項１記載の端子台によれば、電路部が伸縮可能であるため、端子部およびケースのばらつきにより端子部の挿入がきつくなることがなく、経年変化による樹脂収縮にも対応でき、ケースの亀裂が生じることもなくばらつきに対応しやすなる。また対向方向に平行な電路と比べて電路部が長くなり表面積および体積が大きくとれるため、放熱効果が増し端子部の温度上昇を少なくすることができる。
また電路部をヒューズ素子としたため、ヒューズ素子と端子を共用して使用することができる。第１の端子部と第２の端子部間にヒューズ素子の両端を接続したため、第１の端子部および第２の端子部を分断したときのばりによって振動等のときにヒューズ素子に傷を付けてヒューズ素子が早切れする等の悪影響がなくなる。
【００２７】
請求項２記載の端子台によれば、請求項１と同様な効果のほか、電路部の距離を長くできる。
【図面の簡単な説明】
【図１】この発明の第１の実施の形態の端子台の分解斜視図である。
【図２】カバーを外した状態の平面図である。
【図３】その断面図である。
【図４】速結端子の平面図である。
【図５】第２の実施の形態の速結端子の平面図である。
【図６】第３の実施の形態の速結端子の平面図である。
【図７】従来例の分解斜視図である。
【符号の説明】
１    第１の端子部
２    第２の端子部
３    電路部
３ａ、３ｂ    出っ張り部
４    ケース
５    第１の連結部
６    電源端子部
７    送り端子部
８    第２の連結部
１０    収納部
４０    ヒューズ素子
【図１】
0003792464.tif 000002
【図２】
0003792464.tif 000003
【図３】
0003792464.tif 000004
【図４】
0003792464.tif 000005
【図５】
0003792464.tif 000006
【図６】
0003792464.tif 000007
【図７】
0003792464.tif 000008